(57)【要約】【課題】電子機器に供給される電力が少ない状態であっても電源の認証処理を行うことができるようにする。【解決手段】電子機器は、無線で電力を受け取る受電手段と、受電手段により受け取った電力の供給を制御する第１電源制御手段と、第１の動作状態において電子機器に接続された電源の認証処理を行い、電子機器を制御する第１システム制御手段と、第１の動作状態よりも消費電力が抑えられた第２の動作状態において電子機器に接続された電源の認証処理を行い、電子機器を制御する第２システム制御手段とを有する。【選択図】図４
2019047627.tif 000002
【特許請求の範囲】
【請求項１】
電子機器であって、
無線で電力を受け取る受電手段と、
前記受電手段により受け取った電力の供給を制御する第１電源制御手段と、
第１の動作状態において前記電子機器に接続された電源の認証処理を行い、前記電子機器を制御する第１システム制御手段と、
前記第１の動作状態よりも消費電力が抑えられた第２の動作状態において前記電子機器に接続された電源の認証処理を行い、前記電子機器を制御する第２システム制御手段と
を有することを特徴とする電子機器。
【請求項２】
前記第２システム制御手段は、前記第１システム制御手段よりも演算処理能力が低いことを特徴とする請求項１に記載の電子機器。
【請求項３】
前記電源は充電可能な電池であり、
前記受電手段により受け取った電力を用いて電池の充電制御を行う充電制御手段を更に有し、
前記第１電源制御手段は、前記充電制御手段への電力供給を制御することを特徴とする請求項１または２に記載の電子機器。
【請求項４】
前記第１の動作状態は前記電池の電圧が第１の閾値以上の状態であり、
前記第２システム制御手段から前記第１システム制御手段への電力供給を制御する第２電源制御手段を更に有することを特徴とする請求項３に記載の電子機器。
【請求項５】
前記第２の動作状態は前記電池の電圧が前記第１の閾値よりも低い第２の閾値以上の状態であることを特徴とする請求項４に記載の電子機器。
【請求項６】
前記第２の動作状態において前記第２システム制御手段が行う電池の認証処理において前記電池から認証要求に対する返信があった場合は、前記第２システム制御手段は、前記電池に充電電流を抑えた定電流充電を行うように前記充電制御手段を制御することを特徴とする請求項３から５のいずれか１項に記載の電子機器。
【請求項７】
前記第１の動作状態において前記第１システム制御手段が行った電池の認証処理が成立した場合、前記第１システム制御手段は、前記電池に急速充電を行うように前記充電制御手段を制御することを特徴とする請求項３から６のいずれか１項に記載の電子機器。
【請求項８】
前記第１の動作状態において前記第１システム制御手段が行った電池の認証処理が成立しなかった場合は、前記第１システム制御手段は、前記電池に充電電流を抑えた定電流充電を行うように前記充電制御手段を制御することを特徴とする請求項７に記載の電子機器。
【請求項９】
無線で電力を受け取る受電手段と、
前記受電手段により受け取った電力の供給を制御する第１電源制御手段と、
第１の動作状態において電子機器を制御する第１システム制御手段と、
前記第１の動作状態よりも消費電力が抑えられた第２の動作状態において電子機器を制御する第２システム制御手段とを有する電子機器の制御方法であって、
前記電子機器が前記第１の動作状態の場合は前記第１システム制御手段が前記電子機器に接続された電源の認証処理を行う第１のステップと、
前記電子機器が前記第２の動作状態の場合は前記第２システム制御手段が前記電子機器に接続された電源の認証処理を行う第２のステップと
を有することを特徴とする制御方法。
【請求項１０】
電子機器で用いられるプログラムであって、
コンピュータを、
無線で電力を受け取る受電手段と、
前記受電手段により受け取った電力の供給を制御する第１電源制御手段と、
第１の動作状態において前記電子機器に接続された電源の認証処理を行い、前記電子機器を制御する第１システム制御手段と、
前記第１の動作状態よりも消費電力が抑えられた第２の動作状態において前記電子機器に接続された電源の認証処理を行い、前記電子機器を制御する第２システム制御手段
として機能させるためのプログラム。
【発明の詳細な説明】
【技術分野】
【０００１】
本発明は、接続電源の認証が可能な電子機器、その制御方法などに関するものである。
【背景技術】
【０００２】
近年、無線充電機能を有する電子機器が普及しつつある。無線充電機能を有する電子機器を送電装置に設置すると、電子機器は送電装置から受け取った電力を用いて電池を充電することができるため、今後の普及が見込まれている。一方で、電池認証機能を有する電子機器も普及しつつある。より安全に電池の充電を行うためは、電池パックの認証が成立する場合に、電池の充電を行うことが望ましい。特許文献１には、電池認証結果により充電制御を制御する方法が記載されている。
【先行技術文献】
【特許文献】
【０００３】
【特許文献１】特開２００６−１６４５４７号公報
【発明の概要】
【発明が解決しようとする課題】
【０００４】
電子機器の電池認証は電池パックの電力を使用して行うことが一般的であるが、電池パックの電池残量が少ない場合は、電子機器は送電装置から受け取った電力を用いて電池認証を行う場合がある。この場合、例えば、送電装置と電子機器が適切な位置関係にないと給電電力が少なくなり、電子機器を起動して電池認証を行おうとすると、システム立ち上げ時に発生する負荷によって電源の電圧降下が発生し動作が停止する場合がある。この場合、電子機器を送電装置に設置したにも関わらず電池認証が完了しないため、電池の充電が開始されない状態となる。
【０００５】
そこで、本発明は、電子機器に供給される電力が少ない状態であっても電源の認証処理を行うことができるようにすることを目的とする。
【課題を解決するための手段】
【０００６】
上記目的を達成するために、本発明に係る電子機器は、電子機器であって、無線で電力を受け取る受電手段と、前記受電手段により受け取った電力の供給を制御する第１電源制御手段と、第１の動作状態において前記電子機器に接続された電源の認証処理を行い、前記電子機器を制御する第１システム制御手段と、前記第１の動作状態よりも消費電力が抑えられた第２の動作状態において前記電子機器に接続された電源の認証処理を行い、前記電子機器を制御する第２システム制御手段とを有する。
【０００７】
上記目的を達成するために、本発明に係る制御方法は、無線で電力を受け取る受電手段と、前記受電手段により受け取った電力の供給を制御する第１電源制御手段と、第１の動作状態において電子機器を制御する第１システム制御手段と、前記第１の動作状態よりも消費電力が抑えられた第２の動作状態において電子機器を制御する第２システム制御手段とを有する電子機器の制御方法であって、前記電子機器が前記第１の動作状態の場合は前記第１システム制御手段が前記電子機器に接続された電源の認証処理を行う第１のステップと、前記電子機器が前記第２の動作状態の場合は前記第２システム制御手段が前記電子機器に接続された電源の認証処理を行う第２のステップとを有する。
【０００８】
上記目的を達成するために、本発明に係るプログラムは、電子機器で用いられるプログラムであって、コンピュータを、無線で電力を受け取る受電手段と、前記受電手段により受け取った電力の供給を制御する第１電源制御手段と、第１の動作状態において前記電子機器に接続された電源の認証処理を行い、前記電子機器を制御する第１システム制御手段と、前記第１の動作状態よりも消費電力が抑えられた第２の動作状態において前記電子機器に接続された電源の認証処理を行い、前記電子機器を制御する第２システム制御手段として機能させるためのプログラムである。
【発明の効果】
【０００９】
本発明によれば、電子機器に供給される電力が少ない状態であっても電源の認証処理を行うことができる。
【図面の簡単な説明】
【００１０】
【図１】実施形態１における電子機器１００と送電装置１３０の構成要素を説明するためのブロック図である。
【図２】第１の動作状態の電子機器１００が送電装置１３０から伝送される電力を受け取って、電池１２１に充電するまでの送電装置１３０および電子機器１００の動作例を説明するためのシーケンス図である。
【図３】第２の動作状態の電子機器１００が送電装置１３０から伝送される電力を受け取って、電池１２１に充電するまでの送電装置１３０および電子機器１００の動作例を説明するためのシーケンス図である。
【図４】電源ＯＦＦ状態の電子機器１００が、送電装置１３０から伝送される電力を受け取って、電池１２１に充電するまでの動作例を説明するためのフローチャートである。
【図５】電源ＯＮ状態の電子機器１００が、送電装置１３０から伝送される電力を受け取って、電池１２１に充電するまでの動作例を説明するためのフローチャートである。
【発明を実施するための形態】
【００１１】
以下、図面を参照して本発明の実施形態を説明する。ただし、本発明は以下の実施形態に限定されるものではない。
【００１２】
まず、図１を参照して、実施形態１における電子機器１００と送電装置１３０の構成要素を説明する。
【００１３】
図１は、実施形態１における電子機器１００と送電装置１３０の構成要素を説明するためのブロック図である。
【００１４】
電子機器１００は、送電装置１３０から伝送された電力を受け取る装置である。電子機器１００は、撮像装置（例：デジタルカメラ）、携帯電話（例：スマートフォン）、携帯端末（例：タブレット端末）またはそれらの少なくとも一つとして動作可能である。
【００１５】
図１に示すように、電子機器１００は、受電部１０１、整流平滑回路１０２、第１電源制御部１０３、充電制御部１０４、ダイオード１０５、ダイオード１０６および第２電源制御部１０７を有する。電子機器１００はさらに、第１システム制御部１０８、第２システム制御部１０９、スイッチ１１０、スイッチ１１１および無線通信部１１２を有する。電子機器１００はさらに、電池パック１２０などを有する。電池パック１２０は、電池１２１、電池認証部１２２などを有する。送電装置１３０は、送電部１３１、無線通信部１３２などを有する。
【００１６】
受電部１０１は、無線受電用のアンテナ（例：コイルアンテナ）により、送電装置１３０から無線で伝送される電力を受け取る。
【００１７】
整流平滑回路１０２は全波整流回路（ダイオードブリッジ）とＬＣ回路等のＬＰＦを組み合わせて構成される。整流平滑回路１０２は、受電部１０１で受け取った電力を、整流・平滑化することによって定電圧化する。
【００１８】
第１電源制御部１０３は、整流平滑回路１０２からの出力電圧を、充電制御部１０４への入力に適した電圧に変換する。
【００１９】
充電制御部１０４は、第１電源制御部１０３から供給される電力を用いて電池の充電・停止を制御する。また、充電制御部１０４は、第１電源制御部１０３から供給された電力を、電子機器１００の各構成要素に供給したり、電力供給を停止したりする。
【００２０】
ダイオード１０５は、充電制御部１０４から電池１２１に電流が流れることを防止する。また、ダイオード１０６は、電池１２１から充電制御部１０４に電流が流れることを防止する。第２電源制御部１０７は、電池１２１または充電制御部１０４から流れる電流を、第１システム制御部１０８または第２システム制御部１０９に合わせた電圧に変換する。
【００２１】
第１システム制御部１０８は、電子機器１００の各構成要素を制御するためのプログラムを記憶したメモリと、そのメモリに記憶されたプログラムを実行することにより電子機器１００の各構成要素を制御するプロセッサとを有する。第１システム制御部１０８のプロセッサは、例えばハードウェアプロセッサである。第１システム制御部１０８は、電子機器１００が第１の動作状態（例：通常の動作モード）において、電池パック１２０の電池認証部１２２と通信を行い、電池パック１２０の電池１２１が正規電池であるか否かを判定する電池認証処理を行う。第１システム制御部１０８は、電池認証処理により認証が成立した場合は電池パック１２０の電池１２１が正規電池であると判定し、認証が成立しなかった場合は電池パック１２０の電池１２１がサードパーティ品等の非正規電池であると判定する。
【００２２】
第２システム制御部１０９は、電子機器１００の各構成要素を制御するためのプログラムを記憶したメモリと、そのメモリに記憶されたプログラムを実行することにより電子機器１００の各構成要素を制御するプロセッサとを有する。第２システム制御部１０９は、第１システム制御部１０８よりも消費電力が低く、演算処理能力が低いプロセッサである。第２システム制御部１０９のプロセッサは、例えばハードウェアプロセッサである。第２システム制御部１０９は、電子機器１００が第１の動作状態よりも低消費電力の第２の動作状態（例：省電力モード）であって、第１システム制御部１０８が動作していない第２の動作状態において、電子機器１００の各構成要素を制御する。また、第２システム制御部１０９は、第２の動作状態（例：省電力モード）においては、電池パック１２０の電池認証部１２２と通信を行い、電池パック１２０の電池１２１が正規電池であるか否かを判定する電池認証処理を行う。第２システム制御部１０９は、電池認証処理により認証が成立した場合は電池パック１２０の電池１２１が正規電池であると判定し、認証が成立しなかった場合は電池パック１２０の電池１２１がサードパーティ品等の非正規電池であると判定する。
【００２３】
スイッチ１１０は、第２電源制御部１０７からの電力を第１システム制御部１０８に対して供給するか否かを選択するためのスイッチである。第１の動作状態では、第１システム制御部１０８が電子機器１００全体の制御を行うため、スイッチ１１０をＯＮする。第２の動作状態では、消費電力を削減するため、スイッチ１１０をＯＦＦにする。
【００２４】
無線通信部１１２は、無線通信用のアンテナ（例：ループアンテナ）により、送電装置１３０の無線通信部１３２と無線通信を行う。無線通信方式は、Ｂｌｕｅｔｏｏｔｈ（登録商標）、Ｂｌｕｅｔｏｏｔｈ  Ｌｏｗ  Ｅｎｅｒｇｙ、ＺｉｇＢｅｅ（登録商標）、Ｗｉ−Ｆｉ（商標商標）等に準拠する。
【００２５】
スイッチ１１１は、第１システム制御部１０８と電池パック１２０の電池認証部１２２との間を接続するか、切断するかを選択するためのスイッチである。電子機器１００が第１の動作状態においては、第１システム制御部１０８が電池認証を行うため、スイッチ１１１をＯＮする。電子機器１００が第２の動作状態においては、第２システム制御部１０９が電池認証を行うため、スイッチ１１１をＯＦＦにする。第２システム制御部１０９は、無線通信部１１２を介して送電装置１３０と無線通信を行うことによって送電装置１３０が電子機器１００に対して無線送電可能な範囲に存在するか否かを監視している。
【００２６】
送電装置１３０は、電子機器１００に無線で電力を伝送する装置である。送電部１３１は、無線送電用のアンテナ（例：コイルアンテナ）により、電子機器１００に電力を無線で伝送する。送電部１３１は、電子機器１００の電池パック１２０に充電するための電力、電子機器１００の各構成要素が動作するための電力を無線で伝送する。
【００２７】
無線通信部１３２は、無線通信用のアンテナ（例：ループアンテナ）により、電子機器１００の無線通信部１１２と無線通信を行う。送電装置１３０は、無線通信部１３２を介して電子機器１００と無線通信を行うことによって電子機器１００が送電装置１３０に対して無線送電可能な範囲に存在するか否かを監視している。
【００２８】
電池パック１２０は、電子機器１００の各構成要素に電力を供給する。電池１２１は、充電可能な電池（例：リチウムイオン電池）である。電池パック１２０は、電子機器１００に内蔵されたものであっても、電子機器１００から取り外し可能なものであってもよい。
【００２９】
電池認証部１２２は、電池認証処理において、第１システム制御部１０８または第２システム制御部１０９から認証要求を受け、電池１２１に固有のＩＤ情報等を、第１システム制御部１０８または第２システム制御部１０９に返信する。
【００３０】
第１システム制御部１０８または第２システム制御部１０９は、電池認証部１２２から受信した電池１２１に固有のＩＤ情報と、第１システム制御部１０８または第２システム制御部１０９が予め記憶しているＩＤ情報とを比較する。そして、２つのＩＤ情報が一致した場合には電池１２１が正規電池であると判定し、２つのＩＤ情報が一致しない場合には電池１２１が非正規電池であると判定する。
【００３１】
第１システム制御部１０８または第２システム制御部１０９は、電池認証処理において電池１２１が非正規電池であると判定した場合、安全面を考慮して電池１２１の充電を停止するように充電制御部１０４を制御する。
【００３２】
＜第１の動作状態における電池認証処理＞
図２を参照して、第１の動作状態の電子機器１００が送電装置１３０から伝送される電力を受け取って、電池１２１に充電するまでの送電装置１３０および電子機器１００の動作例を説明する。
【００３３】
電子機器１００は電源ＯＦＦ状態である。電源ＯＦＦ状態とは第２の動作状態のことである。第２システム制御部１０９に、電池１２１または充電制御部１０４から、第２電源制御部１０７を介して電力が供給されると、供給された電力を使用して無線通信部１１２が間欠的に動作する。このように、第２システム制御部１０９は、無線通信部１１２により無線通信を行い、送電装置１３０が無線送電可能な範囲に存在するかを監視している。送電装置１３０は、電子機器１００が無線通信できる程度の弱い電力を送電している状態である。
【００３４】
実施形態１では、ユーザの安全性を担保するために、電池認証が成立した場合に電池１２１への充電を行う。実施形態１では、ユーザが電子機器１００を送電装置１３０に設置すると、送電装置１３０と電子機器１００の間で無線通信を行う。その後、送電装置１３０は電子機器１００に対して無線送電可能であることが確認できると、ステップＳ２０１において送電装置１３０が送電部１３１から電力を伝送する。送電部１３１から伝送される電力を電子機器１００の受電部１０１が受け取ると、ステップＳ２０２において電子機器１００では、受電部１０１から整流平滑回路１０２、第１電源制御部１０３を介して充電制御部１０４に電力を供給する。電子機器１００の充電制御部１０４が電力を受け取ると、ステップＳ２０３において充電制御部１０４は第２システム制御部１０９に電力を供給する。この時点では電力供給量が少ない場合があるため、第２システム制御部１０９が電子機器１００の制御を行う、第２の動作状態である。その後、第２システム制御部１０９が電池電圧を確認し、第１閾値以上であれば、スイッチ１１０をＯＮすることによって、ステップＳ２０４において第２電源制御部１０７からの電力を第１システム制御部１０８に対して供給する、第１の動作状態となる。第１閾値は、第１の動作状態で動作し続けることが可能な電池電圧を示している。
【００３５】
この時点では、充電制御部１０４は電池パック１２０の電池１２１に対して充電を行っていない。第２システム制御部１０９がスイッチ１１０をＯＮすることによって、第１システム制御部１０８に電力が供給されると、ステップＳ２０５において第１システム制御部１０８は電池パック１２０の電池認証部１２２と通信を行い、電池認証を行う。ステップＳ２０５において認証が成立した場合は、ステップＳ２０６において第１システム制御部１０８は急速充電開始コマンドを充電制御部１０４に対して送信する。第１システム制御部１０８から送信される充電開始コマンドを受けて、ステップＳ２０７において充電制御部１０４は電池パック１２０の電池１２１に対して急速充電を行う。
【００３６】
以上のように、電子機器１００が第１の動作状態である場合には、演算処理能力が高い第１システム制御部１０８が電池認証を行って、電池１２１への急速充電を行う。そのため、電池電圧が高く、第１システム制御部１０８が動作可能な場合は、短時間で認証成立か否かを判定することができる。また、第１システム制御部１０８によって電池認証を行うことにより、認証が成立した場合に、電池１２１に対して急速充電を行うことができる。
【００３７】
＜第２の動作状態における電池認証処理＞
図３を参照して、第２の動作状態の電子機器１００が送電装置１３０から伝送される電力を受け取って、電池１２１に充電するまでの送電装置１３０および電子機器１００の動作例を説明する。
【００３８】
電子機器１００は電源ＯＦＦ状態である。電源ＯＦＦ状態とは第２の動作状態または、第２システム制御部１０９に電力が供給されず動作していない状態のことである。第２システム制御部１０９に、電池１２１または充電制御部１０４から、第２電源制御部１０７を介して電力が供給されると、供給された電力を使用して無線通信部１１２が間欠的に動作する。このように、電子機器１００では、無線通信部１１２により無線通信を行い、送電装置１３０が無線送電可能な範囲に存在するかを監視している。送電装置１３０は、電子機器１００が無線通信できる程度の弱い電力を送電している状態である。
【００３９】
実施形態１では、ユーザの安全性を担保するために、電池認証が成立した場合に、電池１２１への充電を行う。実施形態１では、まずユーザが送電装置１３０に電子機器１００を近づけると、送電装置１３０から無線通信が可能となる電力を電子機器１００に伝送する。電子機器１００は、送電装置１３０から受け取った電力を、充電制御部１０４を介して第２システム制御部１０９に電力を供給する。これにより、第２システム制御部１０９が動作を開始し、無線通信部１１２を介して、送電装置１３０の無線通信部１３２と間で無線通信を行う。その後、ステップＳ３０１において送電装置１３０から電子機器１００に対して無線送電可能であることが確認できると、送電装置１３０が伝送する電力を増加させる。
【００４０】
送電部１３１から伝送される電力を受電部１０１が受け取ると、ステップＳ３０２において電子機器１００では受電部１０１から整流平滑回路１０２、第１電源制御部１０３を介して、充電制御部１０４に電力を供給する。充電制御部１０４は電力を受け取ると、ステップＳ３０３において第２システム制御部１０９に電力を供給する。図２のように電子機器１００が第１の動作状態である場合には、スイッチ１１０とスイッチ１１１がＯＮ状態であるため、第１システム制御部１０８に電力が供給される。一方、電子機器１００が第２の動作状態である場合には、スイッチ１１０とスイッチ１１１がＯＦＦ状態であるため、第１システム制御部１０８に対して電力が供給されない。この時点では、充電制御部１０４は電池パック１２０の電池１２１に対して充電を行っていない。充電制御部１０４が第２システム制御部１０９に電力を供給すると、電池電圧が第１閾値未満の場合に、第２システム制御部１０９が電池パック１２０の電池認証部１２２と通信を行い、電池認証を行う。実施形態１では、充電制御部１０４が選択的に第２システム制御部１０９に電力を供給するのではなく、第１電源制御部１０３から電力供給があった場合に自動的に第２システム制御部１０９に給電を行う。ステップＳ３０４において認証が成立した場合は、ステップＳ３０５において第２システム制御部１０９は充電電流の少ない定電流充電開始コマンドを充電制御部１０４に対して送信する。充電制御部１０４は第２システム制御部１０９から送信される充電開始コマンドを受けると、ステップＳ３０６において電池パック１２０の電池１２１に対して充電電流の少ない定電流充電を行う。
【００４１】
以上のように、電池残量が少ない場合は、消費電力の少ない第２システム制御部１０９が電池認証を行って電池１２１への充電を行う。このように、電池１２１に充電されている残電力が少ない、または無線送電による電力が少ない場合でも、低消費電力の第２システム制御部１０９が電池認証を行う。これにより、認証が成立した場合に、電池１２１に対して充電電流の少ない定電流充電を行うことができる。
【００４２】
＜電源ＯＦＦ状態における動作＞
図４を参照して、電源ＯＦＦ状態の電子機器１００が、送電装置１３０から伝送される電力を受け取って、電池１２１に充電するまでの動作例を説明する。
【００４３】
電源ＯＦＦ状態とは第２の動作状態または、第２システム制御部１０９に電力が供給されず動作していない状態のことである。また、第２システム制御部１０９の電源電圧が第２閾値以上の場合は、第２システム制御部１０９は無線通信を行うために、無線通信部１１２を間欠的に駆動する。第２閾値は第２の動作状態で動作し続けることが可能な、第２システム制御部１０９の電源電圧を示している。第２システム制御部１０９の電源電圧が第２閾値未満の場合は、第２システム制御部１０９は、送電装置１３０が近づく、または充電された電池が挿入されるまで動作できない。なお、第２閾値は、第１閾値よりも小さい値となる。
【００４４】
ユーザが電子機器１００を送電装置１３０に設置すると処理が開始される。ステップＳ４０１において電子機器１００を送電装置１３０に設置すると、ステップＳ４０２において送電装置１３０が無線通信できる弱い電力を伝送し、電子機器１００は受電部１０１を介して電力を受け取る。受電部１０１で受け取った電力は、ステップＳ４０３において整流平滑回路１０２、第１電源制御部１０３、充電制御部１０４を介して、第２システム制御部１０９に供給される。
【００４５】
ステップＳ４０４では、第２システム制御部１０９が電源電圧を検出し、電源電圧が第２閾値以上であるか判定する。第２閾値は、電子機器１００が第２の動作状態で起動した場合でも、第２システム制御部１０９が動作し続けることができる電源電圧である。電源電圧が第２閾値未満の場合は、第２システム制御部１０９は無線通信を行わず、また、送電装置１３０から受け取った電力を用いて電池１２１の充電は行わないように充電制御部１０４にコマンドを送信する。電源電圧が第２閾値以上の場合は、ステップＳ４０５において電子機器１００が第２の動作状態で起動する。第２システム制御部１０９は、内部または外部のリセットＩＣを使用して第２閾値の検出を行い、第２システム制御部１０９に起動信号を出力する。送電装置１３０から電子機器１００に対して、無線送電可能であることが確認できると、ステップＳ４０６において第２システム制御部１０９は無線通信部１１２を介して送電装置１３０と通信し送電装置１３０から伝送される電力を増加させる。送電装置１３０が送電電力を増加させた後、ステップＳ４０７において第２システム制御部１０９が電池電圧を検出し、電源電圧が第１閾値以上であるか判定する。電池電圧が第１閾値以上の場合は、ステップＳ４０８において電子機器１００の動作状態が第１の動作状態に遷移する。その後、ステップＳ４０９において第１システム制御部１０８が電池認証を行い、ステップＳ４１０において第１システム制御部１０８は認証が成立したか否かを判定する。ステップＳ４１０において認証が成立した場合には、ステップＳ４１１において第２システム制御部１０９は充電制御部１０４に急速充電開始コマンドを送信する。このように、認証が成立した場合には、電池１２１に急速充電を行うことが可能となる。一方、ステップＳ４１０において認証が成立しない場合は、ステップＳ４１２において第１システム制御部１０８が充電制御部１０４に充電電流の少ない定電流充電開始コマンドを送信し、充電制御部１０４が電池１２１に充電電流の少ない定電流充電を行う。このように、認証が成立しない場合に、急速充電をするリスクを避けることができる。
【００４６】
ステップＳ４０７において第２システム制御部１０９は電源電圧が第１閾値未満であると判定した場合は、ステップＳ４１３において第２システム制御部１０９が電池認証を行う。第２システム制御部１０９は第１システム制御部１０８と比べて低い電力で動作する回路規模であり演算処理能力が低いため、高度な認証演算（例：暗号化処理）等を行うことができない。このため、高度な認証演算は行わず、ステップＳ４１４において第２システム制御部１０９は電池認証部１２２から認証要求に対する返信があるか否かで簡易的に認証成功か否かを判定する。ステップＳ４１４において電池認証部１２２から返信がない場合は、第２システム制御部１０９は非認証電池であると判定し、充電制御部１０４は電池１２１に充電を行わない。ステップＳ４１４において電池認証部１２２から返信があった場合には、ステップＳ４１５において第２システム制御部１０９が充電制御部１０４に充電電流の少ない定電流充電開始コマンドを送信する。この間、第２システム制御部１０９は第１システム制御部１０８が電子機器１００の動作を制御する第１の動作状態の電池電圧となるまで充電する。ステップＳ４１６において第２システム制御部１０９は電池電圧を監視し続け、電池電圧が第１閾値以上となると、ステップＳ４０８において電子機器１００は第１の動作状態で起動する。その後、ステップＳ４０９、Ｓ４１０において第１システム制御部１０８による電池認証が成立すると、ステップＳ４１１において第１システム制御部１０８は電池１２１に急速充電を行う。また、認証が成立しない場合はステップＳ４１２において充電電流の少ない定電流充電を継続する。
【００４７】
＜電源ＯＮ状態における動作＞
図５を参照して、電源ＯＮ状態の電子機器１００が、送電装置１３０から伝送される電力を受け取って、電池１２１に充電するまでの動作例を説明する。
【００４８】
ユーザが電子機器１００を送電装置１３０に設置すると処理が開始される。ステップＳ５０１において電子機器１００を送電装置１３０に設置すると、送電装置１３０が電子機器１００を検出し、ステップＳ５０２において送電装置１３０が電子機器１００に送電を開始する。送電装置１３０が送電を開始すると、ステップＳ５０３において電子機器１００は受電部１０１が電力を受け取る。受電部１０１で受け取った電力は、ステップＳ５０４において整流平滑回路１０２、第１電源制御部１０３、充電制御部１０４を介して、第２システム制御部１０９に供給される。ステップＳ５０４において電子機器１００が第１の動作状態であった場合は、第１システム制御部１０８にも電力供給を行う。ステップＳ５０５では、第２システム制御部１０９は電子機器１００が第１の動作状態であるか、第１システム制御部１０８が電子機器１００の制御を行う動作状態であるか判定する。電子機器１００が第１の動作状態であると判定した場合は、ステップＳ５０６において第１システム制御部１０８が電池認証を行い、ステップＳ５０７において認証が成立したか判定する。認証が成立した場合には、ステップＳ５０８において第１システム制御部１０８が、充電制御部１０４に急速充電開始コマンドを送信する。このように、認証が成立する場合に、充電制御部１０４が電池１２１に急速充電することが可能となる。ステップＳ５０７において認証が成立しない場合は、ステップＳ５０９において第１システム制御部１０８が、充電制御部１０４に対して充電電流の少ない定電流充電開始コマンドを送信する。充電制御部１０４は充電電流の少ない定電流充電開始コマンドを受信すると、電池１２１に対して、充電電流の少ない定電流充電を行う。このように、認証が成立しない場合には、非認証電池に急速充電をするリスクを避けることができる。
【００４９】
ステップＳ５０５において電子機器１００が第１の動作状態ではないと判定した場合は、ステップＳ５１０において第２システム制御部１０９は電池電圧が第１閾値以上か判定する。電池電圧が第１閾値以上であると判定した場合は、ステップＳ５１１において電子機器１００が第１の動作状態に遷移し、ステップＳ５０６において第１システム制御部１０８が電池認証を行う。その後、ステップＳ５０７において第１システム制御部１０８は認証が成立したか否かを判定し、認証が成立した場合は、ステップＳ５０８において第１システム制御部１０８が充電制御部１０４に急速充電開始コマンドを送信する。
【００５０】
ステップＳ５１０において第２システム制御部１０９は電池電圧が第１閾値未満であると判定した場合は、電子機器１００が第２の動作状態、第２システム制御部１０９が電子機器１００の制御を行う動作状態である。この場合は、ステップＳ５１２において第２システム制御部１０９が電池認証を行う。第２システム制御部１０９は第１システム制御部１０８に比べて低い電力で動作する回路規模であり演算処理能力が低いため、高度な認証演算（例：暗号化処理）等を行うことができない。このため、高度な認証演算は行わず、ステップＳ５１３において電池認証部１２２から認証要求に対する返信があったか否かで簡易的に認証成功か否かを判定する。ステップＳ５１３において電池認証部１２２から返信がない場合は、電池ではない可能性があるため、第２システム制御部１０９は電池１２１の充電を行わないように充電制御部１０４にコマンドを送信する。ステップＳ５１３において電池認証部１２２から返信があった場合には、ステップＳ５１４において第２システム制御部１０９が充電制御部１０４に充電電流の少ない定電流充電開始コマンドを送信する。この間、第２システム制御部１０９は第１システム制御部１０８が電子機器１００の動作を制御する第１の動作状態の電池電圧となるまで充電する。ステップＳ５１５において第２システム制御部１０９は電池電圧を監視し続け、電池電圧が第１閾値以上となると、ステップＳ５１１において電子機器１００が第１の動作状態に遷移する。その後、ステップＳ５０６およびＳ５０７において第１システム制御部１０８による電池認証が成立する場合は、ステップＳ５０８において第１システム制御部１０８は電池１２１に急速充電を行う。また、認証が成立しない場合はステップＳ５０９において充電電流の少ない定電流充電を継続する。
【００５１】
以上説明したように、実施形態１によれば、電子機器１００が第１のシステム制御部１０８によって制御される状態において電池認証が成立した場合は電池に対して急速充電を行い、認証が成立しない場合は充電電流の少ない定電流充電を行う。また、電子機器１００が第２システム制御部１０９によって制御される状態では、電池パック１２０の電池認証部１２２から認証要求に対する返信があった場合に充電電流の少ない定電流充電を行う。従って、電子機器１００に供給される電力が少ない状態であっても電池認証処理を行うことができるようになり、電池認証待ちにより充電が開始されない状態を少なくすることができる。
【００５２】
［実施形態２］
実施形態１で説明した様々な機能、処理または方法は、パーソナルコンピュータ、マイクロコンピュータ、ＣＰＵ（ｃｅｎｔｒａｌ  ｐｒｏｃｅｓｓｉｎｇ  ｕｎｉｔ）、プロセッサなどがプログラムを用いて実現することもできる。以下、実施形態２では、パーソナルコンピュータ、マイクロコンピュータ、ＣＰＵ（ｃｅｎｔｒａｌ  ｐｒｏｃｅｓｓｉｎｇ  ｕｎｉｔ）、プロセッサなどを「コンピュータＸ」と呼ぶ。また、実施形態２では、コンピュータＸを制御するためのプログラムであって、実施形態１で説明した様々な機能、処理または方法を実現するためのプログラムを「プログラムＹ」と呼ぶ。
【００５３】
実施形態１で説明した様々な機能、処理または方法は、コンピュータＸがプログラムＹを実行することによって実現される。この場合において、プログラムＹは、コンピュータ読み取り可能な記憶媒体を介してコンピュータＸに供給される。実施形態２におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも１つを含む。実施形態２におけるコンピュータ読み取り可能な記憶媒体は、ｎｏｎ−ｔｒａｎｓｉｔｏｒｙな記憶媒体である。
【００５４】
なお、本発明の実施形態は上述の実施形態１または２に限定されるものではない。発明の要旨を逸脱しない範囲で変更または修正された実施形態１または２も本発明の実施形態に含まれる。
【符号の説明】
【００５５】
１００…電子機器、１０１…受電部、１０８…第１システム制御部、１０９…第２システム制御部、１１２…無線通信部、１２０…電池パック、１２１…電池、１２２…電池認証部、１３０…送電装置、１３１…送電部、１３２…無線通信部
【図１】
2019047627.tif 000003
【図２】
2019047627.tif 000004
【図３】
2019047627.tif 000005
【図４】
2019047627.tif 000006
【図５】
2019047627.tif 000007